(57)【特許請求の範囲】
【請求項１】
古紙を破壊処理する処理部と、セットされた古紙を連続して処理部へ供給する給紙部と、を備えた、古紙処理装置において、
給紙部が、装置本体内に設けられており、古紙がセットされる載置台と、載置台が昇降する載置空間と、載置台を昇降させる昇降機構と、古紙をセットするために装置本体に形成された開口と、該開口を開閉する外扉と、載置空間の上開口を開閉する内扉と、外扉を開けると、載置台を下降させるとともに、載置空間の上開口を閉じるように内扉を作動させる、駆動機構と、を備え、上昇位置の載置台上の古紙を処理部へ供給するようになっており、
給紙部は、外扉を開けると内扉が載置空間の上開口を閉じて載置台上の古紙を隠すように載置台上の空間を閉塞するようになっていることにより、セットされた古紙に第三者がアクセスできないようにして古紙の盗難を防止するセキュリティー機能を発揮するようになっている、
ことを特徴とする、古紙処理装置。
【発明の詳細な説明】
【技術分野】
【０００１】
本発明は、古紙を破壊処理する古紙処理装置に関するものである。「古紙を破壊処理する」とは、古紙を、古紙に記載されている情報が認識不能となる状態に、変化させること、を意味する。
【背景技術】
【０００２】
古紙処理装置としては、例えば特許文献１に示されるような、シュレッダーが、知られている。シュレッダーは、古紙を細断することによって古紙を破壊処理する装置である。シュレッダーでは、給紙部に複数枚の古紙をセットすると、古紙が、自動的に処理部に給紙されて、細断される。
【先行技術文献】
【特許文献】
【０００３】
【特許文献１】特開平９−２７２６３８号公報
【発明の概要】
【発明が解決しようとする課題】
【０００４】
ところで、古紙は、不要になった用紙ではあるが、個人情報や機密情報等が記載された用紙を含んでいる場合があるため、直ぐに破壊処理することが望まれる。しかし、古紙処理装置の動作状況によっては、直ぐに破壊処理できない場合がある。そして、その場合には、古紙の盗難を防止するために、作業者が、破壊処理可能となるまで古紙処理装置の近くに待機したり、又は、古紙を持ち帰ったりする必要があり、作業効率が悪かった。
【０００５】
本発明は、作業者が待機したり持ち帰ったりすることを不要にでき、古紙処理の作業効率を向上できる、古紙処理装置を、提供することを目的としている。
【課題を解決するための手段】
【００１３】
本発明は、古紙を破壊処理する処理部と、セットされた古紙を連続して処理部へ供給する給紙部と、を備えた、古紙処理装置において、給紙部が、装置本体内に設けられており、古紙がセットされる載置台と、載置台が昇降する載置空間と、載置台を昇降させる昇降機構と、古紙をセットするために装置本体に形成された開口と、該開口を開閉する外扉と、載置空間の上開口を開閉する内扉と、外扉を開けると、載置台を下降させるとともに、載置空間の上開口を閉じるように内扉を作動させる、駆動機構と、を備え、上昇位置の載置台上の古紙を処理部へ供給するようになっており、給紙部は、外扉を開けると内扉が載置空間の上開口を閉じて載置台上の古紙を隠すように載置台上の空間を閉塞するようになっていることにより、セットされた古紙に第三者がアクセスできないようにして古紙の盗難を防止するセキュリティー機能を発揮するようになっている、ことを特徴としている。
【発明の効果】
【００１６】
本発明によれば、給紙部がセキュリティー機能を有しており、それによって、給紙部にセットした古紙の盗難を防止できるので、古紙処理装置が直ぐに古紙を破壊処理できない場合であっても、作業者が、破壊処理可能となるまで古紙処理装置の近くに待機したり、又は、古紙を持ち帰ったりするのを、不要にできる。したがって、古紙処理の作業効率を向上できる。
【図面の簡単な説明】
【００１７】
【図１】第１実施形態の古紙処理装置の縦断面図である。
【図２】第１実施形態の分離送出部の縦断面図である。
【図３】第２実施形態の古紙処理装置の縦断面部分図である。
【図４】第２実施形態の古紙処理装置の縦断面部分図である。
【図５】第２実施形態の古紙処理装置の縦断面部分図である。
【図６】第３実施形態の古紙処理装置の縦断面部分図である。
【図７】第３実施形態の古紙処理装置の縦断面部分図である。
【図８】第３実施形態におけるロック状態のロック機構の側面図である。
【図９】図８のIX矢視図である。
【図１０】第３実施形態における解除状態のロック機構の側面図である。
【図１１】図１０のＸＩ矢視図である。
【図１２】第４実施形態の古紙処理装置の縦断面図である。
【図１３】第４実施形態の古紙処理装置の縦断面図である。
【図１４】第４実施形態における通常状態のカセットの前方斜視図である。
【図１５】第４実施形態における通常状態のカセットの後方斜視図である。
【図１６】図１４のＸVI−ＸVI断面図である。
【図１７】第４実施形態における通常状態のカセットの透視側面図である。
【図１８】第４実施形態における通常状態のカセットの透視平面図である。
【図１９】第４実施形態における通常状態のカセットの前方透視斜視図である。
【図２０】第４実施形態におけるカセットの蓋板の作動を示す縦断面図である。
【図２１】第４実施形態におけるカセットの蓋板が開いた状態を示す縦断面図である。
【図２２】第４実施形態におけるロック状態のロック機構の拡大透視図である。
【図２３】第４実施形態における解除状態のロック機構の拡大透視図である。
【図２４】第４実施形態で用いる一対のコネクタの一方向斜視図である。
【図２５】第４実施形態で用いる一対のコネクタの他方向斜視図である。
【図２６】第４実施形態における受容状態のカセットの透視平面図である。
【図２７】第４実施形態における給紙状態のカセットの縦断面図である。
【図２８】第４実施形態における通常状態のカセットの下方斜視図である。
【図２９】第１実施形態の変形構成を有する古紙処理装置の縦断面図である。
【図３０】図２９の装置の別の作動状態を示す縦断面図である。
【図３１】図２９の装置の更に別の作動状態を示す縦断面図である。
【発明を実施するための形態】
【００１８】
以下、本発明の実施形態について説明するが、第１実施形態、第３実施形態、及び第４実施形態は本発明の参考形態であり、第２実施形態が本発明の実施形態である。
［第１実施形態］
図１は、本実施形態の古紙処理装置の縦断面図である。この古紙処理装置１Ａは、給紙部１、処理部２、及び制御部（図示せず）を、備えている。
【００１９】
給紙部１は、給紙方向に並んで連結された、上流側給紙部１１と下流側給紙部１３とを、備えている。上流側給紙部１１は、密閉された装置本体１０１の外に設けられている。一方、下流側給紙部１３及び処理部２は、装置本体１０１の内部に設けられており、装置本体１０１の外からアクセスするためには所定の開錠作業を必要とするようになっている。
【００２０】
上流側給紙部１１と下流側給紙部１３との間には、第１搬送部１２が設けられている。第１搬送部１２は、搬送路１２１及び上下一対の搬送ローラ１２２、１２３を有している。下流側給紙部１３と処理部２との間には、第２搬送部１４が設けられている。第２搬送部１４は、搬送路１４１、上下一対の搬送ローラ１４２、１４３、及び上下一対の搬送ローラ１４４、１４５を有している。
【００２１】
上流側給紙部１１は、載置台１１１、載置台１１１の第１昇降機構（図示せず）、及び分離送出部１１４を、備えている。上流側給紙部１１は、載置台１１１上にセットされた古紙Ｐを、載置台１１１を第１昇降機構によって少しずつ上昇させながら、分離送出部１１４によって、上から１枚ずつ搬送路１２１へ送り出すようになっている。分離送出部１１４は、図２に示されるように、給紙ローラ１１４１と、給紙ローラ１１４１に対して下方から当接するよう付勢された摩擦分離部材１１４２と、からなっている。搬送ローラ１２２、１２３は、搬送路１２１に送り出されて来た古紙Ｐを挟んで、下流側給紙部１３へ搬送するようになっている。
【００２２】
下流側給紙部１３は、載置台１３１、載置台１３１の第２昇降機構（図示せず）、載置空間１３２、及び分離送出部１３４を、備えている。下流側給紙部１３は、上流側給紙部１１から搬送されて来た古紙Ｐを、載置空間１３２内において載置台１３１上に積層していくようになっている。そして、下流側給紙部１３は、載置空間１３２内の古紙Ｐを、載置台１３１を第２昇降機構によって少しずつ上昇させながら、分離送出部１３４によって、上から１枚ずつ搬送路１４１へ送り出すようになっている。分離送出部１３４は、図２に示された分離送出部１１４と同じ構成を有している。搬送ローラ１４２、１４３及び搬送ローラ１４４、１４５は、搬送路１４１に送り出されて来た古紙Ｐを挟んで、処理部２へ搬送するようになっている。なお、下流側給紙部１３は、載置空間１３２内に積層された古紙Ｐを、下から１枚ずつ搬送路１４１へ送り出すように、構成してもよい。
【００２３】
処理部２は、左右一対の回転カッター２１、２２及び貯留容器２３を、備えている。処理部２は、搬送ローラ１４４、１４５を経て搬送されて来た古紙Ｐを、回転カッター２１、２２によって、挟みながら細断するとともに、得られた細断片を、落下させて容器２３に貯めるようになっている。すなわち、処理部２は、古紙Ｐを細断することによって破壊処理するようになっている。
【００２４】
上記構成の古紙処理装置１Ａは、各部が制御部によって制御されながら、次のように作動する。まず、作業者は、上流側給紙部１１の載置台１１１上に古紙Ｐをセットする。載置台１１１上に古紙Ｐがセットされると、直ぐに、第１昇降機構、分離送出部１１４、及び第１搬送部１２が作動して、載置台１１１上の古紙Ｐの全てが、１枚ずつ下流側給紙部１３へ搬送される。これにより、上流側給紙部１１は、古紙Ｐが無い状態となる。
【００２５】
下流側給紙部１３へ搬送されて来た古紙Ｐは、載置空間１３２内に積層されて貯留される。そして、第２昇降機構、分離送出部１３４、及び第２搬送部１４が、作動して、載置空間１３２内に貯留されている古紙Ｐが、１枚ずつ処理部２へ搬送される。
【００２６】
そして、処理部２へ搬送されて来た古紙Ｐは、回転カッター２１、２２によって細断されて、細断片となって容器２３に貯められる。
【００２７】
こうして、古紙Ｐの破壊処理が完了する。
【００２８】
上記構成の古紙処理装置１Ａにおいては、上流側給紙部１１の載置台１１１上に古紙Ｐをセットすると、古紙Ｐの全てが、自動的に、下流側給紙部１３へ搬送され、それによって、上流側給紙部１１は、古紙Ｐが無い状態となる。そして、古紙Ｐは、下流側給紙部１３の載置空間１３２内に貯留されるが、下流側給紙部１３へのアクセスは、所定の開錠作業を行わなければ、不可能である。それ故、古紙Ｐは、上流側給紙部１１からも、下流側給紙部１３からも、持ち去ることが不可能である。したがって、上記構成の古紙処理装置１Ａによれば、セットした古紙Ｐが古紙処理前に盗難されるのを、防止できる。すなわち、上記構成の古紙処理装置１Ａは、古紙Ｐの盗難を防止するセキュリティー機能を発揮できる。
【００２９】
［第２実施形態］
図３〜図５は、本実施形態の古紙処理装置の縦断面部分図である。この古紙処理装置１Ｂは、給紙部３、処理部（図示せず）、及び制御部（図示せず）を、備えている。図３〜図５には、給紙部３のみが示されている。処理部としては、第１実施形態の処理部２と同じものを採用できる。
【００３０】
給紙部３は、装置本体１０１内に設けられている。給紙部３は、載置台３１、載置空間３２、載置台３１の昇降機構（図示せず）、開口３３１、外扉３３、内扉３４、及び駆動機構３５を、備えている。載置台３１は、上に開いた直方体状の載置空間３２内を上記昇降機構によって昇降するように、設けられている。内扉３４は、矢印Ａのように水平方向に移動して、載置空間３２の上開口３２１を開閉するように、設けられている。図３及び図５では、内扉３４は閉じている。図４では、内扉３４は開いている。開口３３１は、装置本体１０１の外壁１０１１に形成されている。開口３３１は、載置空間３２を閉じた状態の内扉３４の上に古紙Ｐをセットできる高さ位置に、形成されている。外扉３３は、矢印Ｂのように垂直に移動して、開口３３１を開閉するように、設けられている。図３及び図５では、外扉３３は開いている。図４では、外扉３３は閉じている。
【００３１】
駆動機構３５は、外ローラ３５１、内ローラ３５２、及び両ローラ３５１、３５２を連結した環状ベルト３５３を、備えている。駆動機構３５は、外扉３３の開閉に連動して内扉３４を開閉するようになっている。すなわち、駆動機構３５は、外扉３３が開くように移動すると、外ローラ３５１が矢印Ｃ方向に回転し、環状ベルト３５３を介して、内ローラ３５２も矢印Ｄ方向に回転し、その内ローラ３５２の回転によって、内扉３４を閉じように移動させるようになっている。また、逆に、駆動機構３５は、外扉３３が閉じるように移動すると、外ローラ３５１が矢印Ｃ方向とは逆方向に回転し、環状ベルト３５３を介して、内ローラ３５２も矢印Ｄ方向とは逆方向に回転し、その内ローラ３５２の回転によって、内扉３４を開くように移動させるようになっている。
【００３２】
給紙部３は、分離送出部３６を備えている。分離送出部３６は、図２に示された分離送出部１１４と同じ構成を有している。給紙部３は、載置台３１上の古紙Ｐを、載置台３１を昇降機構によって少しずつ上昇させながら、分離送出部３６によって、上から１枚ずつ搬送路１２１へ送り出すようになっている。
【００３３】
載置台３１の昇降機構は、次のように作動するようになっている。すなわち、昇降機構は、外扉３３が閉じた状態において分離送出部３６の作動が停止すると、載置台３１を載置空間３２の底まで下降させるようになっており、外扉３３が開いて古紙Ｐがセットされ、外扉３３が閉じられ、分離送出部３６の作動開始が入力されると、載置台３１を、最上位置の古紙Ｐが分離送出部３６の高さ位置となるように、上昇させるようになっている。なお、外扉３３は、昇降機構の作動中又は分離送出部３６の作動中に、開くことがないように、ロック機構（図示せず）によってロックされるのが、好ましい。
【００３４】
上記構成の古紙処理装置１Ｂは、各部が制御部によって制御されながら、次のように作動する。まず、作業者は、古紙をセットするために、図３に示されるように、外扉３３を開く。このとき、外扉３３の移動に伴って、駆動機構３５が作動する。その結果、内扉３４が載置空間３２を閉じる。この状態で、作業者は、開口３３１を通して、内扉３４の上に、古紙Ｐをセットする。なお、載置台３１は、外扉３３を開く前に、昇降機構によって、載置空間３２の底まで下降している。
【００３５】
次に、作業者は、図４に示されるように、外扉３３を閉じる。このとき、外扉３３の移動に伴って、駆動機構３５が作動し、内扉３４が開くように移動する。このとき、内扉３４上に載置されていた古紙Ｐは、内扉３４が引っ込む際に載置空間３２の奥壁３２２によって削ぎ落とされ、下に位置している載置台３１上に載る。そして、外扉３３が閉じた後に分離送出部３６の作動開始が入力されると、古紙Ｐを載せた載置台３１は、昇降機構によって、最上位置の古紙Ｐが分離送出部３６の高さ位置となるように、上昇する。
【００３６】
そして、分離送出部３６が作動して、載置台３１上の古紙Ｐが上から１枚ずつ送り出され、処理部において古紙が破壊処理される。
【００３７】
一方、分離送出部３６の作動を停止すると、載置台３１は、昇降機構によって、載置空間３２の底まで、下降する。そして、作業者が、図５に示されるように、外扉３３を開くと、駆動機構３５が作動し、その結果、内扉３４が載置空間３２を閉じる。これにより、載置台３１上の古紙Ｐは、内扉３４によって載置空間３２内に閉じ込められた状態となる。
【００３８】
上記構成の古紙処理装置１Ｂにおいては、外扉３３を開いて古紙Ｐをセットして外扉３３を一旦閉じた後は、外扉３３を開いても、図５に示されるように、古紙Ｐは、内扉３４によって載置空間３２内に閉じ込められた状態となる。したがって、上記構成の古紙処理装置１Ｂによれば、セットした古紙Ｐが古紙処理前に盗難されるのを、防止できる。すなわち、上記構成の古紙処理装置１Ｂは、古紙Ｐの盗難を防止するセキュリティー機能を発揮できる。
【００３９】
［第３実施形態］
図６及び図７は、本実施形態の古紙処理装置の縦断面部分図である。この古紙処理装置１Ｃは、給紙部５、処理部（図示せず）、及び制御部（図示せず）を、備えている。図６及び図７には、給紙部５のみが示されている。処理部としては、第１実施形態の処理部２と同じものを採用できる。
【００４０】
給紙部５は、装置本体１０１内に設けられている。給紙部５は、載置台５１、開口５２１、載置台５１の昇降機構（図示せず）、扉５２、及びロック機構５３を、備えている。載置台５１は、昇降機構によって昇降するように、設けられている。開口５２１は、装置本体１０１の外壁１０１２に形成されている。開口５２１は、それを通して載置台５１の上に古紙Ｐをセットできるように、形成されている。扉５２は、外壁１０１２の内面に沿って移動して、開口５２１を開閉するように、設けられている。図６では、扉５２は開いている。図７では、扉５２は閉じている。
【００４１】
また、給紙部５は、分離送出部５６を備えている。分離送出部５６は、図２に示された分離送出部１１４と同じ構成を有している。給紙部５は、載置台５１上の古紙Ｐを、載置台５１を昇降機構によって少しずつ上昇させながら、分離送出部５６によって、上から１枚ずつ搬送路１２１へ送り出すようになっている。
【００４２】
図８〜図１１は、ロック機構５３を示している。図８は、ロック状態のロック機構５３の側面図である。図９は、図８のIX矢視図である。図１０は、解除状態のロック機構５３の側面図である。図１１は、図１０のＸＩ矢視図である。ロック機構５３は、引掛アーム５３１、リンクアーム５３２、スプリング５３３、及びアクチュエータ５３４を、備えている。引掛アーム５３１は、上端に引掛部５３１１を有しており、下端部のピン５３１２を中心として鉛直状態と傾斜状態との間を回動するように設けられている。引掛アーム５３１は、鉛直状態の場合に引掛部５３１１が扉５２の下縁５２２に引っ掛かり、傾斜状態の場合に引掛部５３１１が下縁５２２から離れるようになっている。引掛アーム５３１は、鉛直状態となる方向に回動するように、スプリング５３３によって、常時、付勢されている。引掛アーム５３１の下端部には、リンクアーム５３２の上端が回動自在に連結されている。リンクアーム５３２の下端は、アクチュエータ５３４のロッド５３４１の上端に、回動自在に連結されている。アクチュエータ５３４は、通電がない状態では、ロッド５３４１をフリーにしており、通電があると、ロッド５３４１を退避させる。
【００４３】
これにより、ロック機構５３は、次のように作動するようになっている。すなわち、アクチュエータ５３４に通電がない場合には、ロッド５３４１がフリーであるので、スプリング５３３によって、引掛アーム５３１が、鉛直状態となる方向に回動して鉛直状態となり、引掛部５３１１が扉５２の下縁５２２に引っ掛かり、これにより、扉５２がロックされる。一方、アクチュエータ５３４に通電があると、ロッド５３４１が退避するので、引掛アーム５３１が、スプリング５３３の付勢力に抗して、傾斜状態となる方向に回動して傾斜状態となり、引掛部５３１１が扉５２の下縁５２２から離れ、これにより、扉５２のロックが解除される。
【００４４】
上記構成の古紙処理装置１Ｃは、各部が制御部によって制御されながら、次のように作動する。まず、作業者は、アクチュエータ５３４に通電してロックを解除して、図６に示されるように、扉５２を開いて、開口５２１を通して、載置台５１上に、古紙Ｐをセットする。
【００４５】
次に、作業者は、図７に示されるように、扉５２を閉じて、ロック機構５３のアクチュエータ５３４を通電のない状態として、扉５２をロックする。
【００４６】
そして、分離送出部５６が作動して、載置台５１上の古紙Ｐが、上から１枚ずつ搬送路１２１へ送り出され、処理部において破壊処理される。
【００４７】
上記構成の古紙処理装置１Ｃによれば、扉５２を開いて古紙Ｐをセットして扉５２を閉じた後に、ロック機構５３によって扉５２を閉じた状態にロックするので、セットした古紙Ｐが古紙処理前に盗難されるのを、防止できる。すなわち、上記構成の古紙処理装置１Ｃは、古紙Ｐの盗難を防止するセキュリティー機能を発揮できる。
【００４８】
［第４実施形態］
図１２及び図１３は、本実施形態の古紙処理装置の縦断面図である。この古紙処理装置１Ｄは、給紙部６、処理部２、及び制御部（図示せず）を、備えている。処理部２は、第１実施形態の処理部２と同じものである。
【００４９】
給紙部６は、２段構造を有しており、上段給紙部７と下段給紙部８とを、備えている。上段給紙部７と処理部２との間には、第１搬送部６１が設けられている。第１搬送部６１は、搬送路６１１、上下一対の搬送ローラ６１２、６１３、及び左右一対の搬送ローラ６１４、６１５を、有している。下段給紙部８と処理部２との間には、第２搬送部６２が設けられている。第２搬送部６２は、搬送路６２１及び上下一対の搬送ローラ６２２、６２３を、有している。
【００５０】
上段給紙部７は、カセット式の給紙部である。上段給紙部７は、カセット７１、受容部７５、及びロック機構７６を、備えている。すなわち、上段給紙部７は、古紙を収納したカセット７１を、装置本体１０１に形成されている受容部７５へ、受容させることにより、古紙を給紙状態にセットするようになっている。図１２は、カセット７１が受容される前の状態を示しており、図１３は、カセット７１が受容された後の状態を示している。また、カセット７１は、受容部７５へ受容されると、ロック機構７６によって、装置本体１０１に対してロックされる、すなわち装置本体に固定されるようになっている。
【００５１】
図１４〜図１９は、受容される前の状態すなわち通常状態の、カセット７１を示している。図１４は、カセット７１の前方斜視図である。図１５は、カセット７１の後方斜視図である。図１６は、図１４のＸVI−ＸVI断面図である。図１７は、カセット７１の透視側面図である。図１８は、カセット７１の透視平面図である。図１９は、カセット７１の前方透視斜視図である。
【００５２】
カセット７１は、直方体状の筐体である。後壁７２１には、古紙を内部に投入するための横スリット７１１が形成されている。図１６は、古紙Ｐが収納された状態を示している。上壁７２２には、複数本の平行なスリット７１２に沿って且つ上壁７２２に沿って移動可能なブラケット７１３が、設けられている。ブラケット７１３の下面には、ピン７１３１、７１３２がスリット７１２を通り抜けて固定されている。ブラケット７１３は、ピン７１３１、７１３２によって、スリット７１２に沿ってガイドされるようになっている。ピン７１３１と上壁７２２の下面に固定されたピン７２２１との間には、スプリング７１７が設けられている。ブラケット７１３は、スプリング７１７によって、常時、前方へ引っ張られている。ブラケット７１３は、両縁に、カセット７１の内部に延びた、下向きフランジ７１４を、有している。カセット７１の前壁を構成する蓋板７２３の、上縁の両端には、水平軸７１５が設けられている。各フランジ７１４は、水平軸７１５を回動自在に支持している。これにより、蓋板７２３は、図２０に示されるように、両水平軸７１５を支点として、両フランジ７１４に対して回動自在となっている。蓋板７２３は、各水平軸７１５に設けられた捩りバネ（図示せず）によって、常時、閉じる方向すなわち矢印Ｒ方向に、付勢されている。蓋板７２３は、図２１に示されるように、ブラケット７１３が後方に移動すると、両側壁７２４の内面に水平に形成された段部７１６に沿って、水平軸７１５と共に、後方へ向けて引き上げられて行き、カセット７１内に、水平に収納されるようになっている。
【００５３】
上壁７２２の下面には、ブラケット７１３を上壁７２２に固定するためのロック機構７３が、設けられている。図２２及び図２３は、ロック機構７３の拡大透視図であり、図２２はロック状態を示しており、図２３は解除状態を示している。ロック機構７３は、引掛アーム７３１、リンクアーム７３２、スプリング７３３、及びアクチュエータ７３４を、備えている。引掛アーム７３１は、先端に引掛部７３１１を有しており、基端部のピン７３１２を中心として、スリット７１２に対する平行状態と傾斜状態との間を回動するように設けられている。引掛アーム７３１は、平行状態の場合に引掛部７３１１がブラケット７１３のピン７１３２に引っ掛かり、傾斜状態の場合に引掛部７３１１がピン７１３２から離れるようになっている。引掛アーム７３１は、平行状態となる方向に回動するように、スプリング７３３によって、常時、付勢されている。引掛アーム７３１の中央部には、リンクアーム７３２の先端が回動自在に連結されている。リンクアーム７３２の基端は、アクチュエータ７３４のロッド７３４１の先端に、回動自在に連結されている。アクチュエータ７３４は、通電がない状態では、ロッド７３４１をフリーにしており、通電があると、ロッド７３４１を退避させる。
【００５４】
これにより、ロック機構７３は、次のように作動するようになっている。すなわち、アクチュエータ７３４に通電がない場合には、ロッド７３４１がフリーであるので、スプリング７３３によって、引掛アーム７３１が、平行状態となる方向に回動して平行状態となり、引掛部７３１１がブラケット７１３のピン７１３２に引っ掛かり、これにより、ブラケット７１３が上壁７２２に対してロックされる。一方、アクチュエータ７３４に通電があると、ロッド７３４１が退避するので、引掛アーム７３１が、スプリング７３３の付勢力に抗して、傾斜状態となる方向に回動して傾斜状態となり、引掛部７３１１がブラケット７１３のピン７１３２から離れ、これにより、ブラケット７１３の上壁７２２に対するロックが解除される。
【００５５】
図２４及び図２５は、一対のコネクタ７３６、７３７の斜視図である。ブラケット７１３の上面の前側の中央には、凹状コネクタ７３６が設けられている。コネクタ７３６の凹部７３６１は、前方に開いている。一方、受容部７５の上面には、凸状コネクタ７３７が設けられている。コネクタ７３７の凸部７３７１は、受容部７５の入口に向いている。一対のコネクタ７３６、７３７は、コネクタ７３７の凸部７３７１がコネクタ７３６の凹部７３６１に嵌合することによって、連結し、電気的に接続するようになっている。コネクタ７３６は、電気配線を介して、アクチュエータ７３４に接続している。ロック機構７３は、両コネクタ７３６、７３７が連結すると、アクチュエータ７３４に通電があるので、ロックを解除するように作動し、両コネクタ７３６、７３７が離れると、アクチュエータ７３４の通電がなくなるので、スプリング７３３の付勢力によってロックするように作動するようになっている。両コネクタ７３６、７３７は、カセット７１を受容部７５に差し込み始めた時に、連結する。そして、コネクタ７３７は、カセット７１が受容部７５に更に差し込まれて行くのに伴って、コネクタ７３６をブラケット７１３と共に後方へ押しやるように、機能する。図２６は、ブラケット７１３が後方に移動した状態のカセット７１の透視平面図である。
【００５６】
受容部７５には、カセット７１を受容状態で固定するためのロック機構７６が、設けられている。ロック機構７６は、第３実施形態のロック機構５３と同じ構成を有している。すなわち、ロック機構７６は、引掛アーム５３１、リンクアーム５３２、スプリング５３３、及びアクチュエータ５３４を、備えている。但し、引掛アーム５３１の引掛部５３１１は、カセット７１の前壁の側縁の孔７１９（図１４、１９、２８）に引っ掛かるようになっている。
【００５７】
図２７に示されるように、カセット７１の内部には、縦板７７１と横板７７２とからなるＬ型受部材７７が、設けられている。Ｌ型受部材７７は、収容された古紙Ｐの後部が横板７７２上に載置されるように、配置されている。Ｌ型受部材７７は、前後方向に移動可能に設けられている。図２８は、カセット７１の下方斜視図である。カセット７１の下壁７２５には、上壁７２２のスリット７１２と平行な複数本のスリット７２５１が形成されている。横板７７２の下面には、ピン７７２１がスリット７２５１を通り抜けて固定されている。Ｌ型受部材７７は、ピン７７２１によって、スリット７２５１に沿ってガイドされるようになっている。カセット７１が受容部７５に受容された状態において、すなわち、蓋板７２３が開いた状態において、Ｌ型受部材７７は、装置本体１０１に設けられた駆動機構（図示せず）によって、ピン７７２１を前方へ移動させることにより、図２７に示されるように、古紙Ｐを横板７７２上に載せたまま、前方へ移動するようになっている。
【００５８】
また、給紙部７は、分離送出部７８を備えている。分離送出部７８は、図２に示された分離送出部１１４と同じ構成を有している。給紙部７は、Ｌ型受部材７７によってカセット７１内から前方へ移動された古紙Ｐを、分離送出部７８によって、上から１枚ずつ搬送路６１１へ送り出すようになっている。
【００５９】
下段給紙部８は、載置台８１、載置台８１の昇降機構（図示せず）、及び分離送出部８２を、備えている。分離送出部８２は、図２に示された分離送出部１１４と同じ構成を有している。下段給紙部８は、載置台８１上にセットされた古紙Ｐを、載置台８１を昇降機構によって少しずつ上昇させながら、分離送出部８２によって、上から１枚ずつ搬送路６２１へ送り出すようになっている。
【００６０】
上記構成の古紙処理装置１Ｄは、各部が制御部によって制御されながら、次のように作動する。まず、作業者は、盗難されると困るような古紙Ｐを、カセット７１内に投入するとともに、盗難されても困らないような古紙Ｐを、下段給紙部８の載置台８１上にセットする。ここで、「盗難されると困るような古紙」とは、漏洩すると不利益を被る恐れがある情報、例えば機密情報が、記載されているような古紙を言う。
【００６１】
次に、作業者は、古紙Ｐを収容したカセット７１を、受容部７５内に差し込む。このとき、カセット７１は、次のように作動する。まず、コネクタ７３７がコネクタ７３６に連結し、それによって、ロック機構７３が、ブラケット７１３の上壁７２２に対するロックを解除する。これにより、ブラケット７１３は移動可能となる。次に、カセット７１が差し込まれるのに伴って、コネクタ７３７が、コネクタ７３６及びブラケット７１３をカセット７１の後方へ移動させる。これにより、蓋板７２３が、引き上げられて、カセット７１内に収容される。すなわち、カセット７１の前壁が開く。こうして、カセット７１が受容部７５に受容される。
【００６２】
次に、ロック機構７６が作動して、カセット７１が、受容部７５に受容された状態で装置本体１０１に対してロックされる。これにより、カセット７１は、受容部７５から取出し不可となる。
【００６３】
また、装置本体１０１側の駆動機構が作動して、Ｌ型受部材７７が古紙Ｐを伴って前方へ移動される。これにより、古紙Ｐは、図２７に示される給紙状態に、セットされる。
【００６４】
そして、上段給紙部７においては、分離送出部７８が作動して、カセット７１の古紙Ｐが、上から１枚ずつ搬送路６１１へ送り出され、更に、搬送ローラ６１２、６１３及び搬送ローラ６１４、６１５によって、処理部２へ搬送される。
【００６５】
一方、下段給紙部８においては、分離送出部８２が作動して、載置台８１上の古紙Ｐが、上から１枚ずつ搬送路６２１へ送り出され、更に、搬送ローラ６２２、６２３によって、処理部２へ搬送される。
【００６６】
そして、処理部２へ搬送されて来た古紙Ｐは、回転カッター２１、２２によって細断されて、細断片となって容器２３に貯められる。
【００６７】
こうして、古紙Ｐの破壊処理が完了する。
【００６８】
上記構成の古紙処理装置１Ｄにおいて、盗難されると困るような古紙Ｐは、まず、カセット７１内に保管される。カセット７１は、受容部７５に受容される前の通常状態においては、ロック機構７３によってブラケット７１３が上壁７２２に対してロックされているので、蓋板７２３が開かない状態となっている。すなわち、カセット７１は、通常状態では、投入された古紙Ｐを取り出せない状態となっている。したがって、カセット７１は、古紙Ｐの盗難を防止するセキュリティー機能を発揮できる。
【００６９】
更に、カセット７１は、受容部７５に受容されると、ロック機構７６によって装置本体１０１に対してロックされ、受容部７５から取出し不可となる。したがって、上記構成の古紙処理装置１Ｄは、上段給紙部７において、古紙Ｐと共にカセット７１が盗難されるのを防止でき、すなわち、古紙Ｐの盗難を防止するセキュリティー機能を発揮できる。
【００７０】
しかも、上記構成の古紙処理装置１Ｄは、セキュリティー機能を発揮できる上段給紙部７に加えて、通常の給紙を行う下段給紙部８も、有しているので、古紙の盗難防止を図りながらも、古紙の処理を効率良く行うことができる。
【００７１】
［変形構成］
（１）第１実施形態は、次のような変形構成を採用してもよい。図２９〜図３１は、この構成の古紙処理装置１Ｅを示す縦断面図である。この装置１Ｅでは、上流側給紙部１１と下流側給紙部１３との間に、載置台１１１上の古紙Ｐを積層状態のまま載置台１３１上に運搬する運搬機構１７が、設けられている。また、上流側給紙部１１は、下流側給紙部１３を経由することなく、古紙Ｐを処理部２へ搬送するようになっている。運搬機構１７は、載置台１１１上の空間と載置台１３１上の空間とを連結する空間通路１７１と、空間通路１７１の底面に設けられた、複数個の搬送ローラ１７２１からなる、搬送機構１７２と、空間通路１７１の外開口１７３１を開閉する扉１７３と、を備えている。
【００７２】
この構成においては、図２９に示されるように、載置台１１１上に古紙Ｐが載置されると、扉１７３が下方に移動して開く。次に、作業者が、古紙Ｐを空間通路１７１内に押しやると、古紙Ｐは、搬送機構１７２によって搬送されて、載置台１３１上に載せられる。そして、図３０に示されるように、扉１７３が上方に移動して閉じる。これにより、上流側給紙部１１にセットされた古紙Ｐは、装置本体１０１内に閉じ込められた状態となる。したがって、この装置１Ｅによれば、セットした古紙Ｐが古紙処理前に盗難されるのを、防止できる。すなわち、この装置１Ｅは、古紙Ｐの盗難を防止するセキュリティー機能を発揮できる。
【００７３】
なお、搬送機構１７２は、搬送ローラ１７２１に代えて、搬送ベルトで構成してもよい。また、載置台１１１上の古紙Ｐを自動的に空間通路１７１内に押しやるための駆動機構（図示せず）を、設けてもよい。
【００７４】
なお、「盗難されても困らないような古紙Ｐ」は、図３１に示されるように、載置台１１１を適宜に昇降させて、分離送出部１１４から、処理部２へ向けて搬送する。
【００７５】
（２）第３実施形態のロック機構５３及び第４実施形態のロック機構７３、７６は、上述したような電気式ロックに限るものではなく、手動式ロックであってもよい。また、ロックの解除方法としては、鍵、暗証番号、生体認証、又は電子キーを用いる方法を、採用してもよい。
【００７６】
（３）上記実施形態において述べた下記の開錠作業は、パスワードやＩＤによる認証を必要とすることとしてもよく、更には、その認証によって、開錠した者を記録するようにしてもよい。また、開錠した者を記録する際に、その時の古紙処理装置の状態も記録するようにしてもよい。例えば、「給紙部紙詰まりエラーで停止状態／作業者Ｘが開錠」という内容を記録する。これによれば、古紙処理装置がどのような状態の時に誰が開錠したのかを、管理できる。
・第１実施形態における、装置本体１０１の外からアクセスするための開錠作業。
・第２実施形態における、外扉３３のロック機構の開錠作業。
・第３実施形態における、ロック機構５３の開錠作業。
・第４実施形態における、ロック機構７６の開錠作業。
【００７７】
（４）第４実施形態において、上段給紙部７及び下段給紙部８の配置を、入れ換えてもよい。また、上段給紙部７及び下段給紙部８の各々を複数個設けてもよい。
【産業上の利用可能性】
【００７８】
本発明の古紙処理装置は、古紙の盗難防止を図りながら古紙処理の作業効率を向上できるので、産業上の利用価値が大である。
【符号の説明】
【００７９】
１、３、５、６  給紙部  ２  処理部  １１  上流側給紙部  １３  下流側給紙部  １０１  装置本体  ３１、５１  載置台  ３２  載置空間  ３３  外扉  ３３１、５２１  開口  ３４  内扉  ３５  駆動機構  ３２１  上開口    ５２  扉  ５３、７６  ロック機構  ７１  カセット  ７５  受容部
【図１】
0005888859.tif 000002
【図２】
0005888859.tif 000003
【図３】
0005888859.tif 000004
【図４】
0005888859.tif 000005
【図５】
0005888859.tif 000006
【図６】
0005888859.tif 000007
【図７】
0005888859.tif 000008
【図８】
0005888859.tif 000009
【図９】
0005888859.tif 000010
【図１０】
0005888859.tif 000011
【図１１】
0005888859.tif 000012
【図１２】
0005888859.tif 000013
【図１３】
0005888859.tif 000014
【図１４】
0005888859.tif 000015
【図１５】
0005888859.tif 000016
【図１６】
0005888859.tif 000017
【図１７】
0005888859.tif 000018
【図１８】
0005888859.tif 000019
【図１９】
0005888859.tif 000020
【図２０】
0005888859.tif 000021
【図２１】
0005888859.tif 000022
【図２２】
0005888859.tif 000023
【図２３】
0005888859.tif 000024
【図２４】
0005888859.tif 000025
【図２５】
0005888859.tif 000026
【図２６】
0005888859.tif 000027
【図２７】
0005888859.tif 000028
【図２８】
0005888859.tif 000029
【図２９】
0005888859.tif 000030
【図３０】
0005888859.tif 000031
【図３１】
0005888859.tif 000032